(57)【要約】【課題】ワンタッチ方式で開いた状態の連結端子が自動で閉じるようにすることで、使い勝手を便利にすることができる端子回転装置及びこれを備えるＵＳＢモジュールを提供する。【解決手段】本発明の一実施例によるＵＳＢモジュールは、収納部が設けられたモジュール本体と、前記収納部に引き出し可能に受納される連結端子と、前記連結端子とモジュール本体との間に設置されて、前記連結端子を回転可能に支持し、前記連結端子が前記収納部に受納されるように弾性力を与える回転ユニットと、で構成される。これによれば、ワンタッチ方式で開いた状態の連結端子が自動で閉じるようにし、使い勝手が便利であり、連結端子の開いた状態を固定させることができ、安全性を向上させることができる。【選択図】図１
2011113980.tif 000002
【特許請求の範囲】
【請求項１】
収納部が設けられるモジュール本体と、
前記収納部に引き出し可能に受納されて外部機器と接続される連結端子と、
前記連結端子とモジュール本体との間に設置されて前記連結端子を回転可能に支持し、前記連結端子が前記収納部に受納されるように弾性力を与える回転ユニットと、を含むＵＳＢモジュール。
【請求項２】
前記連結端子は、
複数の端子ピンが設けられる端子本体と、
前記端子本体の一側に形成され、前記回転ユニットが挿入される回転支持部と、
を含む、請求項１に記載のＵＳＢモジュール。
【請求項３】
前記回転ユニットは、
前記モジュール本体に固定されるハウジングと、
前記連結端子に固定され、前記ハウジングの内部に回転可能に配置される回転部材と、
前記ハウジングと回転部材との間に設置されて、前記回転部材に回転力を与える弾性力提供部と、
を含む、請求項２に記載のＵＳＢモジュール。
【請求項４】
前記ハウジングには、円周方向にスリットが形成され、前記回転部材の外周面には、前記スリットに挿入されてスリットに沿って移動する突起部が形成され、前記スリットの一端部には直角に曲がって前記突起部が係合する係止部が形成される、請求項３に記載のＵＳＢモジュール。
【請求項５】
前記回転部材の一側には、前記連結端子に挿入される端子固定部が形成され、前記端子固定部には回転軸が延在し、前記回転軸の先端にボタン部が形成される、請求項３に記載のＵＳＢモジュール。
【請求項６】
前記モジュール本体には前記回転軸が回転可能に支持され、前記ボタン部が外部に露出するように配置される貫通孔が、前記受納部の一側面に連通するように形成される、請求項５に記載のＵＳＢモジュール。
【請求項７】
前記モジュール本体には、前記ハウジングが固定されるハウジング固定部が、前記貫通孔の他側面と連通するように形成される、請求項４に記載のＵＳＢモジュール。
【請求項８】
前記端子固定部は、多角形に形成され、前記連結端子の回転支持部に挿入されて、前記連結端子と共に回転する、請求項５に記載のＵＳＢモジュール。
【請求項９】
前記端子固定部と回転軸は、前記連結端子の回転支持部に直線移動可能に配置される、請求項８に記載のＵＳＢモジュール。
【請求項１０】
前記弾性力提供部は、一端がハウジングに固定され、他端が回転部材に固定されるコイルスプリングで構成される、請求項３に記載のＵＳＢモジュール。
【請求項１１】
前記受納部の奥行きは、連結端子の厚さと同一であるまたはそれより大きい、請求項１に記載のＵＳＢモジュール。
【請求項１２】
前記連結端子は、ＵＳＢポートに接続されるＵＳＢ端子である、請求項１に記載のＵＳＢモジュール。
【請求項１３】
モジュール本体に固定されるハウジングと、
前記ハウジングの内部に回転可能に配置され、連結端子に連結される回転部材と、
前記ハウジングと回転部材との間に設置されて、前記回転部材に回転力を与える弾性力提供部と、
を含む、端子回転装置。
【請求項１４】
前記モジュール本体は、ワイブロモジュールまたはＵＳＢモジュールである、請求項１３に記載の端子回転装置。
【請求項１５】
前記連結端子は、
複数の端子ピンが設けられる端子本体と、
前記端子本体の一側に形成され、前記回転部材が挿入される回転支持部と、
を含む、請求項１３に記載の端子回転装置。
【請求項１６】
前記ハウジングには、円周方向にスリットが形成され、前記回転部材の外周面には、前記スリットに挿入されてスリットに沿って移動する突起部が形成され、前記スリットの一端部には直角に曲がって前記突起部が係合する係止部が形成される、請求項１３に記載の端子回転装置。
【請求項１７】
前記回転部材の一側には、前記連結端子の回転支持部に固定される端子固定部が形成され、前記端子固定部には回転軸が延在し、前記回転軸の先端にボタン部が形成される、請求項１５に記載の端子回転装置。
【請求項１８】
前記端子固定部は、多角形に形成され、前記連結端子の回転支持部に挿入されて、前記連結端子と共に回転する、請求項１７に記載の端子回転装置。
【請求項１９】
前記弾性力提供部は、一端がハウジングに固定され、他端が回転部材に固定されるコイルスプリングで構成される、請求項１３に記載の端子回転装置。
【発明の詳細な説明】
【技術分野】
【０００１】
本発明は、連結端子を回転可能に支持する端子回転装置及びこれを備えるＵＳＢモジュールに関するものである。
【背景技術】
【０００２】
一般に、ＵＳＢ（Universal Serial Bus）モジュールは、外部装置をコンピュータに容易に連結できるようにする装置で、携帯用コンピュータまたは端末機などに脱着可能に連結され、外付けメモリ及びインターネット接続環境などを提供することができる。
【０００３】
このようなＵＳＢポートの一使用例を説明すると、次の通りである。まず、ＵＳＢモジュールに設けられた連結端子を、ノートブック、携帯電話などのような携帯用端末機に設けられたＵＳＢポートに直交方向に差し込むことで、携帯用端末機システムがそれを認識するように連結すると、データ伝送、記憶または共有が可能になる。
【０００４】
しかしながら、既存のＵＳＢモジュールでは、連結端子を携帯用端末機の外部の一端部に直交方向に差し込んで結合しなければならず、ＵＳＢモジュールが端末機の外部に突出してしまう。このため、余分の作業空間が必要とされる他、周辺の干渉による影響や連結方向と関連した制約を多く受けることになり、かつ、ユーザの不注意などにより外部から衝撃を受けると、携帯用端末機を含む周辺機器が破損したり、記憶されているデータが損失したりする等の欠点がある。
【０００５】
そこで、従来は、ヒンジ構造を採用して連結端子を回転可能にしたＵＳＢモジュールが提示された。
【０００６】
しかしながら、このようなヒンジ構造を有するＵＳＢモジュールは、手動で連結端子を回転しなければならず、使い勝手が不便であり、連結端子が完全に閉じていないとＵＳＢモジュールが損傷することにつながる問題もあった。
【発明の概要】
【発明が解決しようとする課題】
【０００７】
本発明は上記問題点を解消するために案出されもので、その目的は、ワンタッチ方式で開いた状態の連結端子が自動で閉じるようにすることで、使い勝手を便利にすることができる端子回転装置及びこれを備えるＵＳＢモジュールを提供することにある。
【０００８】
本発明の他の目的は、連結端子を回転させて開放した状態で固定させるようにすることで、安全性を向上させることができる端子回転装置及びこれを備えるＵＳＢモジュールを提供することにある。
【０００９】
本発明が解決しようとする技術的課題は、以上で言及した技術的課題に制限されず、言及されていない別の技術的課題は、以下の記載から、本発明の属する技術分野における通常の知識を有する者には明らかになるであろう。
【課題を解決するための手段】
【００１０】
本発明の一実施例によるＵＳＢモジュールは、収納部が設けられたモジュール本体と、前記収納部に引き出し可能に受納されて、外部機器と接続される連結端子と、前記連結端子とモジュール本体との間に設置されて、前記連結端子を回転可能に支持し、前記連結端子が前記収納部に受納されるように弾性力を与える回転装置と、を含む。
前記連結端子は、複数の端子ピンが設けられる端子本体と、前記端子本体の一側に形成されて、前記回転ユニットが挿入される回転支持部と、を含む。
【００１１】
前記回転ユニットは、前記モジュール本体に固定されるハウジングと、前記連結端子に固定され、前記ハウジングの内部に回転可能に配置される回転部材と、前記ハウジングと回転部材との間に設置されて、前記回転部材に回転力を与える弾性力提供部と、を含む。
【００１２】
前記ハウジングには、円周方向にスリットが形成され、前記回転部材の外周面には、前記スリットに挿入されてスリットに沿って移動する突起部が形成され、前記スリットの一端部には、直角に曲がって前記突起部が係合する係止部が形成される。
【００１３】
前記回転部材の一側には、前記連結端子に挿入される端子固定部が形成され、前記端子固定部には回転軸が延在し、前記回転軸の先端にボタン部が形成される。
【００１４】
前記モジュール本体には、前記回転軸が回転可能に支持され、前記ボタン部が外部に露出するように配置される貫通孔が、前記受納部の一側面と連通して形成される。
【００１５】
前記モジュール本体には、前記ハウジングが固定されるハウジング固定部が、貫通孔の他側面と連通して形成される。
【００１６】
前記端子固定部は、多角形に形成され、前記連結端子の回転支持部に挿入されて、前記連結端子と共に回転する。
【００１７】
前記端子固定部と回転軸は、前記連結端子の回転支持部に直線移動可能に配置される。
【００１８】
前記弾性力提供部は、一端がハウジングに固定され、他端が回転部材に固定されるコイルスプリングで構成される。
【００１９】
前記受納部の奥行きは、前記連結端子の厚さと同一にしても良く、前記連結端子の厚さよりも大きくしても良い。
【００２０】
本発明の一実施例による端子回転装置は、モジュール本体に固定されるハウジングと、前記ハウジングの内部に回転可能に配置され、前記連結端子に連結される回転部材と、前記ハウジングと回転部材との間に設置されて、前記回転部材に回転力を与える弾性力提供部と、を含む。
【発明の効果】
【００２１】
本発明によるＵＳＢモジュールは、ワンタッチ方式で開いた状態の連結端子が自動で閉じるようにすることで、使い勝手を便利にすることができる。
【図面の簡単な説明】
【００２２】
【図１】本発明の一実施例によるＵＳＢモジュールの斜視図である。
【図２】本発明の一実施例による回転ユニットの斜視図である。
【図３】本発明の一実施例による回転ユニットの分解斜視図である。
【図４】本発明の一実施例による回転ユニットの結合断面図である。
【図５】本発明の一実施例による回転ユニットの動作を説明するための概念図である。
【発明を実施するための形態】
【００２３】
以下、添付の図面を参照しつつ、本発明の好適な実施例について説明する。
【００２４】
ここで、図面中の構成要素の大きさや形状などは、説明の明瞭性と便宜のために、誇張して示すことがあり、本発明の構成及び作用を考慮して特別に定義された用語は、ユーザ、運用者の意図または慣例によって異なってくることがあり、よって、それらの用語についての定義は、本明細書全般にわたる内容に基づいて下されるべきである。
【００２５】
図１は、本発明の一実施例によるＵＳＢモジュールの斜視図であり、図２は、本発明の一実施例によるＵＳＢモジュールにおける回転ユニットの斜視図であり、図３は、本発明の一実施例による回転ユニットの分解斜視図であり、図４は、本発明の一実施例による回転ユニットがＵＳＢモジュールに装着された状態を示す断面図である。
【００２６】
本実施例のＵＳＢモジュール１００は、モジュール本体１１０と、連結端子１２０と、回転ユニット１３０と、を含む。
【００２７】
モジュール本体１１０は、ＵＳＢモジュール１００の固有機能を行う各種機能部を含む。例えば、機能部は、無線インターネット接続機能を行うための無線モデム、データの記憶及び管理機能を行うためのメモリなどとすることができる。
【００２８】
そして、モジュール本体１１０の一側には、連結端子１２０が受容される収納部１１２が形成され、この収納部１１２の側面に回転ユニット１３０が設置される。ここで、収納部１１２の奥行きは、連結端子１２０が受納された場合に連結端子１２０がモジュール本体１１０の表面から突出しないように、連結端子１２０の厚さと同一にしたり、連結端子１２０の厚さよりも大きくする。
【００２９】
連結端子１２０は、モジュール本体１１０に回転可能に設置され、モジュール本体１１０と電気的に連結され、データなどの通信のために外部機器に接続される。
【００３０】
このような連結端子１２０は、外部機器に設けられたＵＳＢポートに接続されて、各種信号及びデータの送受信を可能にする。
【００３１】
連結端子１２０は、ＵＳＢポートに接続される複数のピンが設けられた端子本体１２２と、端子本体１２２の一側に設けられて、回転ユニット１３０が固定される回転支持部１２４と、を含む。
【００３２】
回転ユニット１３０は、連結端子１２０を回転させて、モジュール本体１１０の収納部１１２から外部に引き出したり、収納部１１２に受納させたりする役割を担う。
【００３３】
このような回転ユニット１３０は、図２乃至図４に示すように、モジュール本体１１０に固定されるハウジング１３１と、ハウジング１３１の内部に回転可能に配置され、連結端子１２０に固定される回転部材１３３と、回転部材１３３とハウジング１３１との間に設置されて、回転部材１３３に回転力を与える弾性力提供部１３２と、を含む。
【００３４】
ハウジング１３１は、回転部材１３３が挿入されて回転可能に支持されるように、少なくとも一側が開放された円筒形にする。
【００３５】
このようなハウジング１３1は、モジュール本体１１０の一側に形成されたハウジング固定部１1４に固定される。ハウジング固定部114は、収納部１1２の一側に連通する。
【００３６】
回転部材１３３は、ハウジング１３１の内部に挿入され、一側には、連結端子１２０に固定される端子固定部１３７が形成され、この端子固定部１３７には、その先端にボタン部１５０が形成される回転軸１３４が連結される。
【００３７】
モジュール本体１１０には、回転軸１３４が軸支され、ボタン部１５０が外部に露出するように配置される貫通孔１２６が形成される。貫通孔１２６は、収納部１２２の他側に連通する。
【００３８】
弾性力提供部１３２は、ハウジング１３１の内部に配置され、一端はハウジング１３１に固定され、他端は回転部材１３３に固定されるコイルスプリングで構成される。
【００３９】
このような弾性力提供部１３２は、コイルスプリングに限定されず、回転部材に回転力を付与できるいかなる形態の弾性体も適用可能である。
【００４０】
連結端子１２０は、一側に回転軸１３４が連結され、他側には回転部材１３３が連結されて、モジュール本体１１０に回転可能に支持される。
前記端子固定部１３７は多角形に形成され、前記連結端子１２０の回転支持部１２４に挿入されて、前記連結端子１２０と共に回転する。
前記端子固定部１３７と回転軸１３４は、前記連結端子１２０の回転支持部１２４に直線移動可能に配置される。
【００４１】
ハウジング１３１には、回転部材１３３の回転方向に沿ってスリット１３５が形成され、回転部材１３３の外周面には、スリット１３５に挿入されてスリット１３５に沿って移動する突起部１３６が突出して形成される。
【００４２】
そして、スリット１３５の一端部には、突起部１３６が係合する係止部１３８が形成される。係止部１３８は、スリット１３５の一端部において略直角に曲がって形成される。
【００４３】
係止部１３８に突起部１３６が挿入されると、回転部材１３３は回転しないロック状態となる。このように、係止部１３８に突起部１３５が挿入されると、連結端子１２０は収納部１１２から引き出された状態となり、連結端子１２０は引き出された状態のまま固定され、これで、連結端子１２０が揺れたり曲がったりすることが防止される。
【００４４】
ハウジング１３１に回転部材１３３を挿入する時に、弾性力提供部１３２に弾性力と回転力が発生するように、弾性力提供部１３２を一定の長さだけ圧縮させるとともに回転させた状態で突起部１３６をスリット１３５に挿入させる。
【００４５】
これにより、回転部材１３３は自然の状態では弾性力提供部１３２の回転力により回転するようになり、回転部材１３３が回転すると、突起部１３６はスリット１３５に沿って移動する。
【００４６】
スリット１３５の端部には係止部１３８が形成されており、突起部１３６がスリット１３５の端部に位置すると突起部１３６は係止部１３８に係合し、回転部材１３３は回転しないようにロックされる。
【００４７】
以下、上記のように構成される本発明の一実施例によるＵＳＢモジュールの連結端子が収納部から引き出されたり収納部に受納されたりする過程について詳細に説明する。
【００４８】
図５は、本発明の一実施例による回転装置の動作を説明するための概念図である。
【００４９】
まず、連結端子１２０が収納部１１２から引き出された状態になると、突起部１３６は、スリット１３５の端部に形成された係止部１３８に係合した状態となり、連結端子１２０の引き出された状態は維持される。
【００５０】
このような状態で、ボタン部１５０を押すと、ボタン部１５０に連結された回転部材１３３が、ハウジング１３１の内部に直線移動し、係止部１３８に係合している突起部１３６が係止部１３８から抜け出る。
【００５１】
これにより、突起部１３６のロックは解除された状態となり、突起部１３６はスリット１３５に沿って移動し、弾性力提供部１３２の弾性力が回転部材１３３に作用して回転部材１３３が回転運動する。
【００５２】
さらに説明すると、回転部材１３３は、ハウジング１３１に挿入され、一端は弾性力提供部１３２に連結されている。ここで、回転部材１３３は、弾性力提供部１３２に弾性力と回転力が発生するように、弾性力提供部１３２を一定の長さだけ密着及び回転させた状態でハウジング１３１に挿入される。このとき、回転部材１３３の表面に形成された突起部１３６は、ハウジング１３１に形成されたスリット１３５に挿入されている。これにより、弾性力提供部１３２には弾性力及び回転力が維持される。この場合、弾性力提供部１３２の回転力によって回転部材１３３が回転するので、突起部１３６は、スリット１３５に沿って移動するようになる。このような過程により、回転部材１３３に連結された連結端子１２０が自動で閉じることとなる。
【００５３】
以降、突起部１３６がスリット１３５の端部に形成された係止部１３８に係合すると回転部材１３３は回転しなくなり、これにより、回転部材１３３に連結された連結端子１２０は開いた状態で固定される。
【００５４】
以上のように、本発明は、ＵＳＢモジュールに限定されず、ヒンジを用いて物体を回転させる要素に適用することを基本的な技術的思想としていることがわかる。以上では本発明の好適な実施例が説明されたが、それらは例示的なものであり、当該分野における通常の知識を有する者には、ＵＳＢモジュールに無線インターネット接続環境の他に、付加的にＧＰＳ受信を可能にして走行または徒歩ナビゲーションとして活用したり、ＤＭＢモジュールを装着させてＤＭＢ放送を視聴したり、付加的にラジオ放送の聴取も可能にする等、様々な変形及び均等な範囲の実施例が可能であるということが理解できる。また、弾性力及び回転力を有する部材を用いて回転部材及び連結端子を自動で回転させ、スリットと突起部を用いて連結端子を固定及び回転させることは、本発明の技術的思想の範ちゅう内に含まれることは当然である。
【００５５】
したがって、本発明の真の技術的保護範囲は、添付の特許請求の範囲により定められるべきである。
【図１】
2011113980.tif 000003
【図２】
2011113980.tif 000004
【図３】
2011113980.tif 000005
【図４】
2011113980.tif 000006
【図５】
2011113980.tif 000007